(57)【要約】【課題】襖を含む引き戸に取付けることができる簡素且つ安価な構成で、車輪の突出量も容易に調整可能な戸車を提供する。【解決手段】車輪４と、車輪４を挟持して回転自在に枢支すると共に、一部が延設された延設部１１を有する車輪枢支部材１２と、延設部１１を揺動自在に枢支すると共に、車輪枢支部材１２を収納自在に保持する保持部材１３と、延設部１１に螺合され、先端部１５ａが保持部材１３に当接するように取付けられた雄ネジ部材１５とを備え、雄ネジ部材１５を回転させることにより、車輪枢支部材１２を保持部材１３に対して揺動させ、車輪４が保持部材１３から突出する突出寸法を調節するように構成された戸車３を提供する。【選択図】図２
2007285017.tif 000002
【特許請求の範囲】
【請求項１】
車輪と、前記車輪を挟持して回転自在に枢支すると共に、一部が延設された延設部を有する車輪枢支部材と、前記延設部を揺動自在に枢支すると共に、前記車輪枢支部材を収納自在に保持する保持部材と、前記延設部に螺合され、先端部が前記保持部材に当接するように取付けられた雄ネジ部材とを備え、前記雄ネジ部材を回転させることにより、前記車輪枢支部材を前記保持部材に対して揺動させ、前記車輪が前記保持部材から突出する突出寸法を調節するように構成されたことを特徴とする戸車。
【請求項２】
請求項１記載の戸車を引き戸本体の下端部に２箇所以上取り付けたことを特徴とする戸車付き引き戸。
【請求項３】
前記引き戸本体の下端部に形成された下方に開口する凹部内に前記戸車を収納して設けると共に、前記車輪の一部を凹部から下方に突出させ、且つ、前記雄ネジ部材の頭部を前記凹部の開口部に臨ませ、前記雄ネジ部材を引き戸本体の下端側から操作自在に構成したことを特徴とする請求項２記載の戸車付き引き戸。
【発明の詳細な説明】
【技術分野】
【０００１】
本発明は、襖等の引き戸の動作を円滑にすると共に、戸車の高さ調節を可能にした戸車及びその戸車を取り付けた引き戸に関する。
【背景技術】
【０００２】
引き戸の一種である襖は、従来、敷居上を摺動して開閉するように構成されており、開閉動作が摺動によるため、長期使用時等に開閉のための動きが悪くなる虞があった。
又、近年、高さの高い襖、例えば高さ２４０センチを有する高さの高い襖等が使用されるようになってきており、特に、そのような襖は比較的に重くて開閉が円滑に行なわれず、利便性が悪いものとなっていた。
【０００３】
一方、襖以外の引き戸については、開閉を円滑にするための戸車が装着されたものが広く知られており、例えば、特許文献１乃至３は引き戸に戸車をつけた例が記載されており、それらは、戸車の車輪の突出量も調整できる構成となっている。
【特許文献１】特開２００３−２７８４３２号公報
【特許文献２】特開平９−１２５８０２号公報
【特許文献３】特開平９−６０４０１号公報
【発明の開示】
【発明が解決しようとする課題】
【０００４】
前述したように、襖は従来摺動して開閉するため、長期使用時等に開閉のための動きが悪くなる虞があり、又、高さの高い重量のある襖等については開閉するための動きが悪く、その開閉動作の改善が求められている。
【０００５】
更に、襖以外の引き戸については、特許文献１乃至３の記載の如く、戸車が装着されたものが知られているが、戸車の構成が比較的複雑であったり、車輪の突出量調整の操作性が容易でない等の問題があり、或いは、車輪の突出量調整等のため戸車の取り付け位置が制限され、例えば、戸車の取り付け位置が引き戸の下端部の両端部に制限され、引き戸の組立上或いは強度上の障害になる等の問題点がある。
そこで、襖等の引き戸の開閉動作の円滑化を図ると共に、引き戸に取付けるための戸車の構成の簡素化、組立作業の効率化、コストダウン、及び、車輪の突出量調整等の操作性の向上が求められている。
【０００６】
以上の現状に鑑み、本発明は、襖を含む引き戸に容易に取付けることができる簡素且つ安価な構成で、車輪の突出量も容易に調整可能な戸車及び前述の効果を奏し、開閉動作の円滑な戸車付き引き戸を提供することを目的とする。
【課題を解決するための手段】
【０００７】
上記の課題を解決すべく、本発明は以下の構成を提供する。
請求項１に係る発明は、車輪と、前記車輪を挟持して回転自在に枢支すると共に、一部が延設された延設部を有する車輪枢支部材と、前記延設部を揺動自在に枢支すると共に、前記車輪枢支部材を収納自在に保持する保持部材と、前記延設部に螺合され、先端部が前記保持部材に当接するように取付けられた雄ネジ部材とを備え、前記雄ネジ部材を回転させることにより、前記車輪枢支部材を前記保持部材に対して揺動させ、前記車輪が前記保持部材から突出する突出寸法を調節するように構成されたことを特徴とする戸車を提供するものである。
【０００８】
請求項２に係る発明は、請求項１記載の戸車を引き戸本体の下端部に２箇所以上取り付けたことを特徴とする戸車付き引き戸を提供するものである。
【０００９】
請求項３に係る発明は、前記引き戸本体の下端部に形成された下方に開口する凹部内に前記戸車を収納して設けると共に、前記車輪の一部を凹部から下方に突出させ、且つ、前記雄ネジ部材の頭部を前記凹部の開口部に臨ませ、前記雄ネジ部材を引き戸本体の下端側から操作自在に構成したことを特徴とする請求項２記載の戸車付き引き戸を提供するものである。
【発明の効果】
【００１０】
本発明の請求項１記載の発明によれば、雄ネジ部材を回転させることにより、車輪枢支部材を保持部材に対して揺動させ、車輪が保持部材から突出する突出寸法を調節するように構成された戸車を提供するので、襖を含む引き戸に取付けることができる簡素且つ安価な構成の戸車を提供できると共に、車輪の突出寸法も雄ネジ部材によって容易に調整可能な戸車を提供することができる。
【００１１】
請求項２に係る発明は、請求項１記載の戸車を引き戸本体の下端部に２箇所以上取り付けた戸車付き引き戸を提供するので、請求項１記載の効果を奏する戸車を装着した引き戸を提供することができると共に、戸車を取付けることによって開閉動作が円滑に行なえ、且つ、車輪の突出量の調整が容易であるので、引き戸を鴨居と敷居又はＶレールとの間に取付ける場合の寸法調整も容易である。
【００１２】
請求項３に係る発明は、前記引き戸本体の下端部に形成された下方に開口する凹部内に前記戸車を収納して設けると共に、前記車輪の一部を凹部から下方に突出させ、且つ、前記雄ネジ部材の頭部を前記凹部の開口部に臨ませ、前記雄ネジ部材を引き戸本体の下端側から操作自在に構成したので、請求項２記載の発明の効果に加え、雄ネジ部材を引き戸本体の下端側から操作できることにより、車輪の突出寸法調整が極めて容易になる。
【発明を実施するための最良の形態】
【００１３】
以下、実施例を示した図面を参照しつつ本発明の実施の形態を説明する。
図１は、本発明による戸車を取り付けた引き戸の一例としての襖１を示している。
襖１は下端部に下方に向かって開放する２箇所以上、好適には２箇所の凹部２，２が所定間隔離間して、例えば、襖１の下端部の両端近傍に形成され、凹部２，２に後述する本発明の戸車３，３が装着されている。尚、凹部２，２に代えて、図に於いて左右方向に延びる下方に開放する溝が形成されても良い。
【００１４】
襖１は、バリアフリーのため床面にＶ字溝に形成されたＶレール５或いは、図示しない敷居と、鴨居６との間に装着され、戸車３，３の車輪４，４の回転によりＶレール５或いは、敷居上を円滑に移動することができる。
【００１５】
本発明の戸車３は、標準サイズの襖や、高さの高い襖等の重量のある襖に取付けることが可能であり、又、襖以外の引き戸にも同様に取付けることができる。
そして、何れの引き戸に取付けた場合に於いても、前述した効果が期待でき、特に、重量のある引き戸に取付けた場合に於いては、その開閉操作の円滑性が格段に向上する。
【００１６】
図２は前記戸車３の拡大図であり、同図（ａ）は戸車３の正面図、同図（ｂ）は戸車３の側面図、同図（ｃ）は戸車３の平面図である。
戸車３は、車輪４と、車輪４を挟持して回転自在に枢支すると共に、一部が延設された延設部１１を有する車輪枢支部材１２と、延設部１１を揺動自在に枢支すると共に、車輪枢支部材１２を収納自在に保持する保持部材１３と、延設部１１に固着された雌ネジ部材１４に螺合されて延設部１１を貫通し、先端部１５ａが保持部材１３に当接するように取付けられた雄ネジ部材１５とを備えている。
【００１７】
図２（ａ）は、仮想線（二点鎖線）で示す襖１の凹部２内に戸車３を取付けた状態を示している。
戸車３は車輪４の一部を凹部２の開口部２ａから下方に突出させた状態で、凹部２内に収納されると共に、凹部２内で、ボルト１６，１６によって襖本体１ａに螺着される。ボルト１６，１６は襖本体１ａの下端側から、開口部２ａを介して凹部２内に挿入した図示しないドライバー等によってネジ止めすることができる。
【００１８】
そして、襖本体１ａの凹部２内に戸車３を取付けた状態に於いて、前記雄ネジ部材１５の頭部１５ｂは凹部２の開口部２ａに臨んでおり、雄ネジ部材１５を襖本体１ａの下端側から操作できるように構成されている。
【００１９】
而して、襖本体１ａの下端側から開口部２ａを介して凹部２内に挿入したドライバー等で前記雄ネジ部材１５を右回転させることにより、図３に示す如く、雄ネジ部材１５の先端部１５ａが車輪枢支部材１２の延設部１１から更に突出し、雄ネジ部材１５の先端部１５ａが保持部材１３に当接しているため、延設部１１及び車輪枢支部材１２が保持部材１３から離れる方向に揺動し、それによって、車輪４が保持部材１３及び襖本体１ａ下端から突出する突出寸法を調節することができる。
【００２０】
次に、前述の状態に於いて、襖本体１ａの下端側から挿入したドライバー等で前記雄ネジ部材１５を左回転させると、雄ネジ部材１５の先端部１５ａが後退し、先端部１５ａの延設部１１からの突出量が減少し、この時、人手によって、車輪４を押すことにより、延設部１１及び車輪枢支部材１２が保持部材１３に近づく方向に揺動し、それによって、保持部材１３及び襖本体１ａ下端からの車輪４の突出寸法が減少し、最終的に、図２（ａ）に示す状態に戻すことができる。
【００２１】
実際の施工に於いては、車輪４が襖本体１ａ下端から適正な突出量となるようにすると共に、戸車３を取付けた襖１が鴨居６と、敷居或いはＶレール５との間に適正な寸法で収まるように車輪４の突出量が調整される。
【００２２】
斯くして、本発明は、襖１に取付けることができる簡素且つ安価な構成の戸車３を提供することができると共に、車輪４の突出寸法も雄ネジ部材１５によって容易に調整することができる。
【００２３】
又、本発明は、前記効果を奏する戸車３を装着した襖１を提供することができると共に、本発明の襖１は、戸車３を取付けることによって開閉動作が円滑に行なえ、且つ、車輪４の突出量の調整が容易であるので、襖１を鴨居６と、敷居又はＶレール５との間に取付ける場合の寸法調整も容易であり、襖１の取付け作業効率が高まる。
【００２４】
更に、本発明の襖１は、雄ネジ部材１５の頭部１５ｂを凹部２の開口部２ａに臨ませ、雄ネジ部材１５を襖本体１ａの下端側から操作自在に構成したので、雄ネジ部材１５を襖本体１ａの下端側から操作できることにより、車輪４の突出寸法調整が極めて容易になる。
【００２５】
尚、本発明の戸車３は、前述したように、標準サイズの襖や、高さの高い襖等の重量のある襖に取付けることが可能であり、又、襖以外の引き戸にも同様に取付けることができる。
そして、高さの高い襖等の重量のある襖や、襖以外の引き戸に取付けた場合に於いても、前述した効果が同様に期待でき、特に、重量のある引き戸に取付けた場合に於いては、その開閉動作の円滑性が格段に向上する。
【００２６】
又、前述の説明に於いて、本発明の戸車３はボルト１６，１６にて凹部２内にネジ止めしたが、戸車３を圧接して挟持し、且つ、凹部２に圧接状態で嵌着する公知の図示しない嵌着部材を用いて、戸車３を凹部２内に取り付けることも可能である。
【図面の簡単な説明】
【００２７】
【図１】本発明による戸車を取り付けた襖の正面図である。
【図２】（ａ）本発明による車輪の突出量が少ない状態の戸車の正面拡大図である。（ｂ）前図（ａ）に示す戸車の側面図である。（ｃ）前図（ａ）に示す戸車の平面図である。
【図３】本発明による車輪の突出量が多い状態の戸車の正面拡大図である。
【符号の説明】
【００２８】
２  凹部
２ａ  開口部
３  戸車
４  車輪
１１  延設部
１２  車輪枢支部材
１３  保持部材
１５  雄ネジ部材
１５ａ  先端部
１５ｂ  頭部
【図１】
2007285017.tif 000003
【図２】
2007285017.tif 000004
【図３】
2007285017.tif 000005